(57)【要約】【課題】  簡単に色再現性の評価を行うことができる撮影装置を提供する。【解決手段】  テストモード時にシャッタボタンが全押しされると、ＣＣＤＲＡＷデータを画像メモリに取り込む。撮像画面に複数の切出し領域を設定し、画像メモリに記憶されたＣＣＤＲＡＷデータから各切出し領域に対応する部分を順次に切出す。この各切出し領域のデータに基づいてＡＷＢゲイン調整量を算出する。画像メモリに記憶されたＣＣＤＲＡＷデータを順次に読み出し、算出されたＡＷＢゲイン調整量に基づいて、各ＣＣＤＲＡＷデータのゲイン調整を行う。そして、ＡＷＢゲイン調整が施されたＣＣＤＲＡＷデータを、画像データとして順次にメモリカードに記録する。【選択図】        図５
2007074201.tif 000002
【特許請求の範囲】
【請求項１】
被写体を撮像して画像信号を出力する撮像手段と、
この撮像手段から出力された１画面分の画像信号を記憶する記憶手段と、
撮像画面に複数の切出し領域を設定し、前記記憶手段に記憶された画像信号から前記各切出し領域に対応する部分を順次に切出す切出し手段と、
この切出し手段によって順次に切出される前記各切出し領域の信号に基づいてホワイトバランス用のゲイン調整量を算出する演算手段と、
前記記憶手段に記憶された画像信号を順次に読み出し、前記演算手段によって順次に算出される各ゲイン調整量に基づいて、各画像信号のゲイン調整を行うゲイン調整手段と、
このゲイン調整手段によってゲイン調整が施された各画像信号を、画像データとして順次に記録する記録手段と、を備えたことを特徴とする撮影装置。
【請求項２】
チャートに付された識別情報を読み取って前記チャートを識別するチャート識別手段と、前記チャートを被写体として撮影した結果得られる画像データのＬａｂ値と前記チャートのＬａｂ値との差に基づいて色再現性を判定する色再現性判定手段と、を備えたことを特徴とする請求項１記載の撮影装置。
【請求項３】
前記記録手段は、画像データとともに、前記色再現性判定手段によって判定された色再現性の判定結果を記録することを特徴とする請求項２記載の撮影装置。
【請求項４】
前記切出し手段は、所定のテストモード時に動作し、その他のモードでは、前記演算手段は、前記前記記憶手段に記憶された１画面分の画像信号に基づいてホワイトバランス用のゲイン調整量を算出することを特徴とする請求項１ないし３いずれか記載の撮影装置。
【請求項５】
前記テストモード時において前記撮像手段の撮像条件を順次に設定変更し、前記撮影条件ごとに上記画像データを生成させる撮影条件ブラケティング手段を備えたことを特徴とする請求項４記載の撮影装置。
【請求項６】
前記テストモード時において前記演算手段の制御パラメータを順次に設定変更し、前記制御パラメータごとに上記画像データを生成させる制御パラメータブラケティング手段を備えたことを特徴とする請求項４記載の撮影装置。
【発明の詳細な説明】
【技術分野】
【０００１】
本発明は、オートホワイトバランス（ＡＷＢ）機能を備えた撮影装置に関し、色再現性の評価技術に関する。
【背景技術】
【０００２】
撮影装置として、ＣＣＤイメージセンサ（以下、ＣＣＤという）などの撮像素子で撮像した被写体像をデジタルの画像データに変換して記憶媒体に保存するデジタルカメラが普及している。大抵のデジタルカメラには、色温度の異なる光源下で撮影した場合でも白い被写体が白く写されるように自動的に色調整を行うＡＷＢ機能が備わっている。
【０００３】
ＡＷＢ制御では、例えば、撮像画像に含まれる３つの原色信号のうち、赤色（Ｒ）信号と青色（Ｂ）信号のゲイン量を、緑色（Ｇ）信号を基準にして調整する。具体的には、Ｒ，Ｇ，Ｂの各色信号を所定のエリアごとに積分して、それぞれの積分値ＩＲ，ＩＧ，ＩＢを求め、白色である可能性が高いエリアについて、ＩＲ／ＩＧおよびＩＢ／ＩＧが所定の収束点に近づくように、Ｒ信号およびＢ信号のゲイン調整を行う。
【０００４】
このようなＡＷＢ制御には、次のような問題がある。例えば、被写体中に薄い水色や肌色等の白に近い有色が存在すると、この白に近い有色を白であると誤判断してしまう。この場合に上記ゲイン調整が施されると、白い被写体が青っぽく、または赤い被写体が薄い赤となる現象が発生する（例えば、特許文献１参照）。
【特許文献１】特開２００４−２３３４３号公報
【発明の開示】
【発明が解決しようとする課題】
【０００５】
色再現性の設計的対策を施すために、デジタルカメラの製造現場において、実際の色再現性の程度を様々な条件下で評価する必要がある。しかしながら、従来のデジタルカメラでは、この評価のために、条件を変化させながら撮影を行う必要があり、手間が多く、長い評価時間を要している。
【０００６】
本発明は、上記問題を解決するためのものであり、簡単に色再現性の評価を行うことができる撮影装置を提供することを目的とする。
【課題を解決するための手段】
【０００７】
上記目的を達成するために、本発明の撮影装置は、被写体を撮像して画像信号を出力する撮像手段と、この撮像手段から出力された１画面分の画像信号を記憶する記憶手段と、撮像画面に複数の切出し領域を設定し、前記記憶手段に記憶された画像信号から前記各切出し領域に対応する部分を順次に切出す切出し手段と、この切出し手段によって順次に切出される前記各切出し領域の信号に基づいてホワイトバランス用のゲイン調整量を算出する演算手段と、前記記憶手段に記憶された画像信号を順次に読み出し、前記演算手段によって順次に算出される各ゲイン調整量に基づいて、各画像信号のゲイン調整を行うゲイン調整手段と、このゲイン調整手段によってゲイン調整が施された各画像信号を、画像データとして順次に記録する記録手段と、を備えたことを特徴とする。
【０００８】
なお、チャートに付された識別情報を読み取って前記チャートを識別するチャート識別手段と、前記チャートを被写体として撮影した結果得られる画像データのＬａｂ値と前記チャートのＬａｂ値との差に基づいて色再現性を判定する色再現性判定手段と、を備えたことが好ましい。また、前記記録手段は、画像データとともに、前記色再現性判定手段によって判定された色再現性の判定結果を記録することが好ましい。
【０００９】
また、前記切出し手段は、所定のテストモード時に動作し、その他のモードでは、前記演算手段は、前記前記記憶手段に記憶された１画面分の画像信号に基づいてホワイトバランス用のゲイン調整量を算出することが好ましい。
【００１０】
また、前記テストモード時において前記撮像手段の撮像条件を順次に設定変更し、前記撮影条件ごとに上記画像データを生成させる撮影条件ブラケティング手段を備えたことが好ましい。
【００１１】
また、前記テストモード時において前記演算手段の制御パラメータを順次に設定変更し、前記制御パラメータごとに上記画像データを生成させる制御パラメータブラケティング手段を備えたことが好ましい。
【発明の効果】
【００１２】
本発明の撮影装置は、色再現性の評価用の複数の画像データを１度の撮影動作によって取得することができ、簡単に色再現性の評価を行うことができる。
【発明を実施するための最良の形態】
【００１３】
図１において、デジタルカメラ１０の本体１１の前面には、レンズ鏡筒１２が設けられており、本体１１の上面には、電源スイッチ１３およびシャッタボタン１４が設けられている。シャッタボタン１４は、２段階押圧式スイッチとなっている。デジタルカメラ１０は、シャッタボタン１４が軽く押圧されて（以下、「半押し」という）１段目のスイッチがオンすると、自動焦点調整（ＡＦ）や自動露出調整（ＡＥ）などの撮影準備処理を行い、シャッタボタン１４がさらに深く押し込まれて（以下、「全押し」という）２段目のスイッチがオンすると、画像信号を圧縮処理してメモリカードに記録する撮影処理を行う。
【００１４】
本体１１の背面には、モード切り替えスイッチ１５、選択ボタン１６、決定ボタン１７、液晶ディスプレイ（ＬＣＤ）１８などが設けられている。モード切り替えスイッチ１５は、撮像処理を行う撮影モードと、メモリカード内の記録画像をＬＣＤ１８に再生表示する再生モードと、各種設定を行う設定モードとの間で切り替える際に操作される。ＬＣＤ１８は、再生モード時に再生画像を表示する他、撮影モード時には被写体確認用のスルー画を表示し、設定モード時にはメニュー画面を表示する。
【００１５】
選択ボタン１６は、上下左右の４箇所に押圧操作部を備え、メニュー画面内の複数の項目から１つの項目を選択する際に操作される。決定ボタン１７は、選択ボタン１６によって選択された項目を決定する際に操作される。
【００１６】
図２において、デジタルカメラ１０の各部は、ＣＰＵ（主制御回路）２０によって制御されている。ＣＰＵ２０は、前述の電源スイッチ１３、シャッタボタン１４、モード切り替えスイッチ１５、選択ボタン１６、決定ボタン１７などを含む操作部２１から入力される操作信号に基づいて、各部の動作制御を行うとともに、ＡＥ、ＡＦ、ＡＷＢなどの各種演算処理を行う。
【００１７】
光学系２２は、被写体光を集光させる撮像レンズ２３と、光量を調節する絞り２４とからなる。撮像レンズ２３には、レンズモータを含むレンズ駆動部２５が接続され、絞り２４には、アイリスモータを含む絞り駆動部２６が接続されている。
【００１８】
絞り２４の後方には、ＣＣＤ２７が配置されている。ＣＣＤ２７の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ２７は、電荷蓄積時間を制御する、いわゆる電子シャッタ機能を有している。各フォトダイオードに蓄積された信号電荷は、ＣＣＤドライバ２８から与えられるパルスに基づいて、その電荷量に応じた電圧信号（画像信号）として順次に出力される。なお、ＣＣＤ２７には、オプティカルブラック部が形成されており、画像信号には、Ｒ，Ｇ，Ｂの各色信号の他に、オプティカルブラック部から出力された暗電流信号が含まれている。
【００１９】
ＣＣＤ２７から出力された画像信号は、相関二重サンプリング回路（ＣＤＳ）２９、オートゲインコントロール・アンプ（ＡＭＰ）３０、およびＡ／Ｄ変換器３１からなるアナログ信号処理回路３２に入力される。ＣＤＳ２９は、画像信号から、ＣＣＤ２７に起因するアンプ雑音とリセット雑音とを除去する。ＡＭＰ３０は、画像信号を、操作部２１によって設定されたＩＳＯ感度に基づいてゲイン調整する。Ａ／Ｄ変換器３１は、画像信号をデジタル信号に変換する。
【００２０】
タイミングジェネレータ（ＴＧ）３３は、ＣＰＵ２０の指示に従ってＣＣＤドライバ２８およびアナログ信号処理回路３２に対してタイミング信号を与えており、このタイミング信号によって各回路の同期がとられている。ＣＣＤ２７から出力された１画面分の画像信号は、アナログ信号処理回路３２によって処理が施された後、バス３４を介して画像メモリ（記憶手段）３５に格納される。アナログ信号処理回路３２から出力された１画面分の画像信号は、ＣＣＤＲＡＷデータと呼ばれる。なお、本実施形態では、光学系２２、ＣＣＤ２７、およびアナログ信号処理回路３２が撮像手段を構成する。
【００２１】
デジタル信号処理回路３６は、画像メモリ３５に格納されたＣＣＤＲＡＷデータに対して、後述するデジタル信号処理を施し、画像データを生成する。この画像データは、ＣＰＵ２０の指示に従って順次に読み出され、ＬＣＤドライバ３７を介して、スルー画としてＬＣＤ１８に表示される。撮影者は、ＬＣＤ１８に表示されるスルー画により被写体のフレーミングを行うことができる。
【００２２】
圧縮伸張処理回路３８は、撮影モードにおいてシャッタボタン１４が全押しされた際に、画像メモリ３５に格納された画像データに対して、所定の圧縮形式（例えばＪＰＥＧ形式）で圧縮処理を施す。メディアコントローラ（記録手段）３９は、メモリカード４０を制御し、圧縮伸張処理回路３８によって圧縮された画像データをメモリカード４０に記録する。
【００２３】
一方、再生モード時には、メディアコントローラ３９は、メモリカード４０に格納された画像データを読み出す。読み出した画像データが圧縮されている場合には、圧縮伸張処理回路３０は、伸張処理を実行し、伸張された画像データは、ＬＣＤドライバ３７によってＬＣＤ１８に再生表示される。
【００２４】
図３は、デジタル信号処理回路３６の構成を示す。オフセット補正回路５０は、画像メモリ３５からＣＣＤＲＡＷデータを読み出し、画像信号に含まれる暗電流信号を、Ｒ，Ｇ，Ｂの各色信号から一律に差し引く、オフセット補正を行う。
【００２５】
積分回路５１は、オフセット補正回路５０から出力された信号に基づき、ＡＥ、ＡＷＢ、およびＡＦ用の積分値を算出し、各評価値をＣＰＵ２０に入力する。ＡＥおよびＡＷＢの場合には、積分回路５１は、例えば図４に示すように、撮像画面６０を縦横８×８の計６４エリア（Ａ１〜Ａ６４）に分割し、各エリアについて、Ｒ，Ｇ，Ｂの各色信号の積分値ＩＲ，ＩＧ，ＩＢを算出して、これらをＣＰＵ２０に入力する。ＡＥの場合には、ＣＰＵ２０は、入力された各エリアの積分値ＩＲ，ＩＧ，ＩＢに基づいて被写体輝度に対応するＥＶ値を算出する。ＣＰＵ２０は、所定のプログラム線図に従い、絞り値とシャッタ速度を決定し、絞り２４およびＣＣＤ２７の電子シャッタを制御して適正な露光量を得る。
【００２６】
ＡＷＢの場合には、ＣＰＵ２０は、入力された各エリアの積分値ＩＲ，ＩＧ，ＩＢに基づいて、撮像画面６０中から白色である可能性が高いエリアを検出し、このエリアが白色に再現されるようにＡＷＢ制御を行う。具体的には、白色である可能性が高いエリアについて、ＩＲ／ＩＧおよびＩＢ／ＩＧが所定の収束点に近づくようにＲ信号およびＢ信号の増幅率（ＡＷＢゲイン調整量）を決定する。ＣＰＵ２０は、ＡＷＢゲイン調整回路５２を制御し、決定したＡＷＢゲイン調整量に基づいてＲ信号およびＢ信号のゲイン調整を行う。また、ＣＰＵ２０は、各エリアの積分値ＩＲ，ＩＧ，ＩＢから光源の種類（太陽光、蛍光灯、水銀灯、電球など）を推定し、この光源の種類に応じて上記収束点を設定する。
【００２７】
また、ＡＦの場合には、積分回路５１は、撮像画面６０の全体、または撮像画面６０の中心を含む一定範囲内において、隣接する画素ごとにＧ信号の変化分（絶対値）を積分し、この積分値をＣＰＵ２０に入力する。この積分値は、画像のコントラスト値に対応し、ＣＰＵ２０は、レンズ駆動部２５を制御して、コントラスト値が極大となるように、撮像レンズ２３内のフォーカスレンズ位置を設定する。なお、本実施形態では、積分回路５１およびＣＰＵ２０が演算手段を構成する。
【００２８】
ガンマ変換回路５３は、ＡＷＢゲイン調整回路５２から出力された信号を、所定のガンマ変換パラメータに従って階調変換する。ＲＧＢ補間演算回路５４は、ガンマ変換回路５３から出力された信号を補間演算して、各画素位置におけるＲＧＢ３色の信号を生成する。ＹＣ変換回路５５は、ＲＧＢ補間演算回路５４から出力された信号を、輝度信号Ｙと色差信号Ｃｒ，Ｃｂとに変換し、画像データとして画像メモリ３５に格納する。
【００２９】
図２に戻り、デジタルカメラ１０には、ＣＣＤＲＡＷデータから所定の領域を切出して、デジタル信号処理回路３６に提供するデータ切出し回路４１が設けられている。デジタルカメラ１０は、操作部２１への特定の操作によって投入されるＡＷＢテストモードを備えており、データ切出し回路４１は、このＡＷＢテストモード時に作動する。
【００３０】
次に、図５のフローチャートに沿ってＡＷＢテストモードの処理動作を説明する。デジタルカメラ１０がＡＷＢテストモードに投入され、シャッタボタン１４が半押しされると、ＡＥやＡＦなどの撮影準備処理が行われ、さらにシャッタボタン１４が全押しされると、アナログ信号処理回路３２によって生成されたＣＣＤＲＡＷデータが画像メモリ３５に取り込まれる。
【００３１】
次いで、データ切出し回路４１は、撮像画面６０に複数の切出し領域Ｒ１〜Ｒｍを設定する。この領域設定は、上記エリアＡ1〜Ａ64の単位で行われ、図６に示すように、撮像画面６０を９分割して、領域Ｒ１〜Ｒ９が設定される。データ切出し回路４１は、まず、画像メモリ３５に格納されたＣＣＤＲＡＷデータから領域Ｒ１に対応する部分を切出し、デジタル信号処理回路３６に入力する。
【００３２】
デジタル信号処理回路３６に入力された切出しデータは、オフセット補正回路５０を介して積分回路５１に入力され、積分回路５１は、領域Ｒ１の各エリア（Ａ1〜Ａ3，Ａ9〜Ａ11，Ａ17〜Ａ19）について積分値ＩＲ，ＩＧ，ＩＢを算出し、これらをＣＰＵ２０に入力する。ＣＰＵ２０は、領域Ｒ１の切出しデータに基づくＡＷＢゲイン調整量を算出する。
【００３３】
ＣＰＵ２０は、デジタル信号処理回路３６内のＡＷＢゲイン調整回路５２を制御し、算出したＡＷＢゲイン調整量に基づいてＲ信号およびＢ信号のゲイン量の設定を行う。この状態で、デジタル信号処理回路３６は、画像メモリ３５に格納された切出し前の１画面分のＣＣＤＲＡＷデータを読み込んでＡＷＢゲイン調整を行う。デジタル信号処理回路３６は、ＡＷＢゲイン調整を施したＣＣＤＲＡＷデータに対して、ガンマ変換、ＲＧＢ補間演算、ＹＣ変換を行って画像データを生成する。生成された画像データは、圧縮伸張処理回路３８によって圧縮処理が施され、メディアコントローラ３９によりメモリカード４０に記録される。
【００３４】
次いで、データ切出し回路４１は、画像メモリ３５に格納されたＣＣＤＲＡＷデータから領域Ｒ２に対応する部分を切出し、これをデジタル信号処理回路３６に入力する。上記と同様に、領域Ｒ２の切出しデータに基づくＡＷＢゲイン調整量が算出され、このＡＷＢゲイン調整量に基づいて切出し前の１画面分のＣＣＤＲＡＷデータがＡＷＢゲイン調整されて、画像データが生成された後、メモリカード４０への記録が行われる。
【００３５】
以下、データ切出し回路４１が切出し領域をＲ３，Ｒ４，・・・と順に変更しながら、上記と同様な処理が行われ、最終の切出し領域Ｒ９（Ｒｍ）に対する処理が完了すると、ＡＷＢテストモードが終了する。この結果、メモリカード４０には、撮像画面６０中の異なるＡＷＢゲイン調整が実施された９つの画像データが記録される。
【００３６】
このように、上記ＡＷＢテストモードでは、１度の撮影動作によってＡＷＢ演算の対象領域が異なる複数の画像データが自動作成され、これらの画像データを色再現性の評価用画像として使用することができる。このＡＷＢテストモードは、デジタルカメラ１０の製造現場（最終テスト段階）において使用されるものである。
【００３７】
なお、上記実施形態では、データ切出し回路４１を個別に設けているが、本発明はこれに限定されず、データ切出し回路４１の上記機能を、デジタル信号処理回路３６内の積分回路５１やＣＰＵ２０に行わせるようにしてもよい。
【００３８】
また、上記実施形態では、図６に示すように切出し領域を設定したが、本発明はこれに限定されず、切出し領域の数、および個々の切出し領域の範囲は適宜変更してよい。例えば、図７、図８に示すように切出し領域を設定してもよい。
【００３９】
図９は、上記ＡＷＢテストモードの変形例を示す。この例では、撮像条件を順次に設定変更（ブラケティング）しながら、前述の画像メモリ３５へのＣＣＤＲＡＷデータの取り込みからメモリカード４０への複数の画像データの記録までを繰り返すようにしている。撮像条件は、絞り値、シャッタ速度、およびＩＳＯ感度の組み合わせで決定されるものであり、ＣＰＵ２０（撮像条件ブラケティング手段）の制御により、例えば、プログラム線図に沿って段階的に変更される。これにより、１度の撮影動作によって、撮像条件がブラケティングされ、各撮像条件ごとに切出し領域数分の画像データが自動生成されるので、より詳しい色再現性評価を行うことができる。
【００４０】
次に、図１０は、第２実施形態のデジタルカメラ７０を示す。デジタルカメラ７０は、第１実施形態のデジタルカメラ１０の構成に、評価用チャートを識別するチャート識別回路７１と、評価用チャートの色再現性を判定する色再現性判定回路７２とを付加したものである。なお、図２と同一の符号を付したものは、上記と同一の機能を有するため、詳しい説明は省略する。
【００４１】
図１１に示す評価用チャート８０には、複数種類のパッチ８１〜８９、およびバーコード９０が印刷されており、その他の領域は黒色となっている。パッチ８１〜８９は、いずれも光源色になり得る、Ｌａｂ空間においてａ＊，ｂ＊の値（絶対値）が小さく（例えば、０〜２５）白色に近い薄い色を帯びている。特に、パッチ８１〜８３は、グレー（ａ＊＝ｂ＊＝０）であって、それぞれＬ＊（明度）が異なり、パッチ８１はＬ＊＝３０、パッチ８２はＬ＊＝５０、パッチ８３はＬ＊＝８０である。
【００４２】
パッチ８４〜８６は、色温度が低めであり、パッチ８４はマゼンタ（Ｍ）、パッチ８５は赤色（Ｒ）、パッチ８６は黄色（Ｙ）を呈している。また、パッチ８７，８８は、色温度が高めであり、パッチ８７はシアン（Ｃ）、パッチ８８は青色（Ｂ）を呈している。さらに、パッチ８９は、緑色（Ｇ）を呈している。なお、パッチ８１〜８９は、補色が上下左右の近い場所に位置するように配置されている。
【００４３】
バーコード９０は、評価用チャート８０は識別情報がコード化されたものであり、チャート識別回路７１は、評価用チャート８０を撮影して取得された画像データからバーコード９０を読み取り、評価用チャート８０を識別する。色再現性判定回路７２は、評価用チャート８０を撮影して取得された画像データの各パッチに対応する領域についてＬａｂ値を求め、次式１に従って各パッチ本来のＬａｂ値との差Δを算出し、算出された差Δに基づいて色再現性の判定を行う。
【００４４】
Δ＝｛（Ｌ−Ｌ0）2＋（ａ−ａ0）2＋（ｂ−ｂ0）2｝1/2  ・・・（式１）
【００４５】
ここで、Ｌ，ａ，ｂは、画像データに基づくＬａｂ値の算出値であり、Ｌ0，ａ0，ｂ0は、各パッチ本来のＬａｂ値である。なお、各パッチ本来のＬａｂ値は、色再現性判定回路７２に予め格納されている。
【００４６】
次に、図１２のフローチャートに沿って本第２実施形態におけるＡＷＢテストモードの処理動作を説明する。デジタルカメラ７０がＡＷＢテストモードに投入され、シャッタボタン１４が半押しされると、ＡＥやＡＦなどの撮影準備処理が行われ、さらにシャッタボタン１４が全押しされると、アナログ信号処理回路３２によって生成されたＣＣＤＲＡＷデータが画像メモリ３５に取り込まれる。このとき、被写体として、例えば、図１１に示す評価用チャート８０が用いられる。
【００４７】
次いで、チャート識別回路７１は、このＣＣＤＲＡＷデータに基づいて評価用チャート８０内のバーコード９０を読み取り、評価用チャート８０の種類が識別される。識別が不可能な場合には（Ｎｏ判定）、再度ＡＷＢテストモードの開始直後の状態へ戻る。識別に成功すると（Ｙｅｓ判定）、続いて、データ切出し回路４１が動作して、第１実施形態と同様に、撮像画面６０に複数の切出し領域Ｒ１〜Ｒｍが設定される。このとき、図１１の点線で示すように、各切出し領域は、少なくとも１つのパッチが含まれるように設定される。
【００４８】
この後、第１実施形態と同様に、まず、画像メモリ３５に格納されたＣＣＤＲＡＷデータから領域Ｒ１に対応する部分が切出され、この切出しデータに基づいてＡＷＢゲイン調整量が算出される。そして、このＡＷＢゲイン調整量に基づき、画像メモリ３５に格納された切出し前の１画面分のＣＣＤＲＡＷデータに対してＡＷＢゲイン調整が施され、ガンマ変換、ＲＧＢ補間演算、ＹＣ変換を経て、画像データが画像メモリ３５内に生成される。
【００４９】
次いで、色再現性判定回路７２は、画像メモリ３５に生成された画像データの各パッチ８１〜８９に対応する領域からＬａｂ値を算出し、上記式１に従い、本来のＬａｂ値（基準値）との差Δを求める。さらに、色再現性判定回路７２は、色再現性について、例えば、Δ≧５の場合に「不良」、Δ＜５の場合に「良」と判定する。メディアコントローラ３９は、この判定結果とともに、圧縮伸張処理回路３８によって圧縮処理が施された画像データをメモリカード４０に記録する。
【００５０】
以下、データ切出し回路４１が切出し領域をＲ２，Ｒ３，・・・と順に変更しながら、上記と同様な処理が行われ、最終の切出し領域Ｒｍに対する処理が完了すると、ＡＷＢテストモードが終了する。この結果、メモリカード４０には、撮像画面６０中の異なる領域（評価用チャート８０中の異なるパッチの組み合わせ）を対象にしてＡＷＢ演算が実施され、ＡＷＢゲイン調整が実施された複数の画像データが、色再現性の判定結果とともに記録される。
【００５１】
このように、本第２実施形態のＡＷＢテストモードでは、１度の撮影動作によってＡＷＢ演算の対象領域が異なる複数の画像データが自動作成されるとともに、色再現性が自動判定されるので、デジタルカメラ７０の評価をより簡単に行うことができる。
【００５２】
図１３は、第２実施形態のＡＷＢテストモードの変形例を示す。この例では、ＣＣＤＲＡＷデータから切出された各切出しデータについて、ＡＷＢパラメータを順次に設定変更（ブラケティング）しながら、前述のＡＷＢゲイン調整量の算出からメモリカード４０への画像データおよび色再現性判定結果の記録までを繰り返すようにしている。ＡＷＢパラメータは、ＡＷＢゲイン調整量の算出時（ＡＷＢ演算時）に用いられる制御パラメータであって、例えば、前述の光源の種類に応じたＩＲ／ＩＧおよびＩＢ／ＩＧの収束点であり、ＣＰＵ２０（制御パラメータブラケティング手段）の制御により、段階的に変更される。これにより、各切出しデータに対して、光源種（収束点）が自動的にブラケティングされるので、より詳しい色再現性評価を行うことができる。
【００５３】
なお、上記第２実施形態では、評価用チャート８０をバーコード９０によって識別するようにしているが、本発明はこれに限定されず、評価用チャートを識別可能とする手法であれば適宜使用することができ、単に識別文字を印字するようにしてもよいし、また、ＩＣタグなどを用いるようにしてもよい。また、評価用チャートの識別情報に、色情報（各パッチのＬａｂ値）を含めるようにしてもよい。この場合には、デジタルカメラ７０は、各評価用チャートの色情報を予め記憶しておく必要がなくなる。
【００５４】
また、図７に示す撮像条件のブラケティング制御を上記第２実施形態に適用することが可能であり、また、図１３に示すＡＷＢパラメータのブラケティング制御を上記第１実施形態に適用することも可能である。
【図面の簡単な説明】
【００５５】
【図１】デジタルカメラの外観斜視図である。
【図２】デジタルカメラの電気的構成を示すブロック図である。
【図３】デジタル信号処理回路の構成を示すブロック図である。
【図４】ＡＥ／ＡＷＢ時の撮像画面内の積分値算出エリアを示す図である。
【図５】ＡＷＢテストモードの処理動作を示すフローチャートである。
【図６】撮像画面を９分割するように切出し領域を設定した例を示す図である。
【図７】撮像画面を６分割するように切出し領域を設定した例を示す図である。
【図８】各切出し領域が撮像画面の中央を含むようにした例を示す図である。
【図９】ＡＷＢテストモードの変形例を示すフローチャートである。
【図１０】第２実施形態のデジタルカメラの電気的構成を示すブロック図である。
【図１１】評価用チャートの例を示す図である。
【図１２】第２実施形態のＡＷＢテストモードの処理動作を示すフローチャートである。
【図１３】第２実施形態のＡＷＢテストモードの変形例を示すフローチャートである。
【符号の説明】
【００５６】
１０  デジタルカメラ
２０  ＣＰＵ
２１  操作部
２２  光学系
３２  アナログ信号処理回路
３５  画像メモリ
３６  デジタル信号処理回路
４０  メモリカード
４１  データ切出し回路
５１  積分回路
５２  ＡＷＢゲイン調整回路
６０  撮像画面
７０  デジタルカメラ
７１  チャート識別回路
７２  色再現性判定回路
８０  評価用チャート
８１〜８９  パッチ
９０  バーコード
【図１】
2007074201.tif 000003
【図２】
2007074201.tif 000004
【図３】
2007074201.tif 000005
【図４】
2007074201.tif 000006
【図５】
2007074201.tif 000007
【図６】
2007074201.tif 000008
【図７】
2007074201.tif 000009
【図８】
2007074201.tif 000010
【図９】
2007074201.tif 000011
【図１０】
2007074201.tif 000012
【図１１】
2007074201.tif 000013
【図１２】
2007074201.tif 000014
【図１３】
2007074201.tif 000015